(57)【要約】【課題】ある区域における電力消費量を簡易に把握可能とする。【解決手段】電力情報表示システムは、建物内の機器による電力消費量を示す電力情報を表示する表示装置と、前記建物の区域毎に過去及び現在の前記機器の前記電力情報及び前記表示装置の位置情報を管理する情報管理サーバとを有する電力情報表示システムであって、前記表示装置は、当該表示装置の位置情報を前記情報管理サーバに通知する位置情報通知手段を有し、前記情報管理サーバは、前記表示装置から通知された前記位置情報を受信する位置情報受信手段と、前記表示装置の位置情報に対応する前記区域の過去及び現在の電力情報を、前記表示装置に送信する電力情報送信手段とを有する。【選択図】図１
2014042411.tif 000002
【特許請求の範囲】
【請求項１】
建物内の機器による電力消費量を示す電力情報を表示する表示装置と、前記建物の区域毎に過去及び現在の前記機器の前記電力情報及び前記表示装置の位置情報を管理する情報管理サーバとを有する電力情報表示システムであって、
前記表示装置は、
当該表示装置の位置情報を前記情報管理サーバに通知する位置情報通知手段を有し、
前記情報管理サーバは、
前記表示装置から通知された前記位置情報を受信する位置情報受信手段と、
前記表示装置の位置情報に対応する前記区域の過去及び現在の電力情報を、前記表示装置に送信する電力情報送信手段とを有する電力情報表示システム。
【請求項２】
前記情報管理サーバは、
前記区域毎に前記電力情報を記憶する電力情報記憶手段と、
前記表示装置の位置情報に基づいて、前記電力情報記憶手段から前記表示装置が設置された区域と該領域に対応する過去及び現在の電力情報とを抽出する電力情報抽出手段とを有し、
前記電力情報送信手段は、前記電力情報抽出手段により抽出された前記電力情報を、表示装置に送信する請求項１記載の電力情報表示システム。
【請求項３】
前記情報管理サーバは、
前記電力情報記憶手段に記憶された前記現在の電力情報と予め指定された期間の過去の電力情報とが対比された電力情報対比画面を生成する対比画面生成手段を有し、
前記電力情報送信手段により送信される前記電力情報は、前記電力情報対比画面である請求項１又は２記載の電力情報表示システム。
【請求項４】
前記表示装置は、
前記対比された画面を表示する対比画面表示領域を有する画面のレイアウトを変更するレイアウト変更手段と、
前記電力情報送信手段から送信された前記対比された画面を、前記レイアウト変更手段により変更された前記対比画面表示領域に表示する表示手段とを有する請求項３記載の電力情報表示システム。
【請求項５】
前記情報管理サーバは、
前記現在の電力消費量と前記過去の電力消費量との差が所定の閾値を超過する場合に、その旨を表示装置に報知する超過情報報知手段を有する請求項１乃至４のいずれか一項に記載の電力情報表示システム。
【請求項６】
前記表示装置の前記位置情報は、前記表示装置に最も近い場所に位置する、自機が設置された場所の位置情報を送信する通信装置から送信された位置情報である請求項１乃至５のいずれか一項に記載の電力情報表示システム。
【請求項７】
前記通信装置から送信された位置情報は、地上補完信号を用いて送信された位置情報である請求項６記載の電力情報表示システム。
【請求項８】
建物内の機器による電力消費量を示す電力情報を表示する表示装置の位置情報と、前記建物の区域毎に過去及び現在の前記機器の前記電力情報とを管理する情報管理サーバであって、
前記表示装置の位置情報に対応する前記区域の過去及び現在の電力情報を、前記表示装置に送信する電力情報送信手段とを有する情報管理サーバ。
【請求項９】
前記区域毎に前記電力情報を記憶する電力情報記憶手段と、
前記表示装置の位置情報に基づいて、前記電力情報記憶手段から前記表示装置が設置された区域と該領域に対応する過去及び現在の電力情報とを抽出する電力情報抽出手段とを有し、
前記電力情報送信手段は、前記電力情報抽出手段により抽出された前記電力情報を、表示装置に送信する請求項８記載の情報管理サーバ。
【請求項１０】
前記電力情報記憶手段に記憶された前記現在の電力情報と予め指定された期間の過去の電力情報とが対比された電力情報対比画面を生成する対比画面生成手段を有し、
前記電力情報送信手段により送信される前記電力情報は、前記電力情報対比画面である請求項８又は９記載の情報管理サーバ。
【発明の詳細な説明】
【技術分野】
【０００１】
本発明は、電力情報表示システム及び情報管理サーバに関する。
【背景技術】
【０００２】
温暖化防止を目的とした改正省エネ法（２０１０年施行）では、個別の工場や事業場等の事業所単位での温室効果ガス（二酸化炭素（ＣＯ２）等）の排出量の削減（抑制）と削減目標の必達が要請されている。
【０００３】
そこで温室効果ガスを削減する取り組みの一つとして、温室効果ガスの排出量を定量的に可視化する「見える化」の仕組みが既に知られている。この温室効果ガス排出量の「見える化」は、例えば家庭やオフィス等で使用される電子機器等の電力消費量を可視化することで、温室効果ガスの削減に対する意識を高め、ひいては温室効果ガスの削減目標等の達成に寄与させよういうものである。
【０００４】
そこで、電力消費量の可視化に関する一つの技術として、特許文献１には、建物内での使用電力に関わる提供情報（建物内での使用電力量をもとに作成した実績レポート等）を表示する画像データを生成し、パソコン等にその画像データを表示させる電力監視システムが開示されている。また、新規の提供情報が生成されると、報知用のＬＥＤを点灯させることによって住人に報知する技術も記載されている。
【発明の概要】
【発明が解決しようとする課題】
【０００５】
温室効果ガスの削減のためには、事業所単位といった特定の建物毎の電力消費量を把握するだけでなく、建物内のフロア等の単位の電力消費量を把握することにより、きめ細かな電力消費量削減の対策を講じることができる。
【０００６】
しかしながら、特許文献１に記載された技術では、ある建物内のフロア毎に現在の電力消費量を表示させる手段は示されておらず、電力消費量を場所毎にきめ細かく、簡易に表示させることができないという課題がある。
【０００７】
そこで、本発明は、上記の点に鑑みてなされたものであって、ある区域における電力消費量を簡易に把握可能とすることを目的とする。
【課題を解決するための手段】
【０００８】
上記課題を解決するため、電力情報表示システムは、建物内の機器による電力消費量を示す電力情報を表示する表示装置と、前記建物の区域毎に過去及び現在の前記機器の前記電力情報及び前記表示装置の位置情報を管理する情報管理サーバとを有する電力情報表示システムであって、前記表示装置は、当該表示装置の位置情報を前記情報管理サーバに通知する位置情報通知手段を有し、前記情報管理サーバは、前記表示装置から通知された前記位置情報を受信する位置情報受信手段と、前記表示装置の位置情報に対応する前記区域の過去及び現在の電力情報を、前記表示装置に送信する電力情報送信手段とを有する。
【発明の効果】
【０００９】
本発明の実施の形態によれば、ある区域における電力消費量が簡易に把握可能となる。
【図面の簡単な説明】
【００１０】
【図１】本発明の実施の形態における電力情報表示システムの構成の一例を示す図である。
【図２】本発明の実施の形態における電力情報対比画面の一例を示す図である。
【図３】本発明の実施の形態における表示装置のハードウェア構成の一例を示す図である。
【図４】本発明の実施の形態における通信装置のハードウェア構成の一例を示す図である。
【図５】本発明の実施の形態におけるゲートウェイ装置のハードウェア構成図の一例を示す図である。
【図６】本発明の実施の形態における情報管理サーバのハードウェア構成の一例を示す図である。
【図７】本発明の実施の形態における電力情報表示システムの機能構成の一例を示す図である。
【図８】本発明の実施の形態における信号フォーマットの一例を示す図である。
【図９】本発明の実施の形態における表示装置に電力情報対比画面を表示させるための入力画面の一例を示す図である。
【図１０】本発明の実施の形態における画面のレイアウト変更後の電力情報対比画面が表示される画面の一例を示す図である。
【図１１】本発明の実施の形態における通信装置の位置情報格納手段に記憶される情報の一例を示す図である。
【図１２】本発明の実施の形態における位置情報記憶手段に記憶される情報の一例を示す図である。
【図１３】本発明の実施の形態における区域情報記憶手段に記憶される情報の一例を示す図である。
【図１４】本発明の実施の形態における電力情報記憶手段に記憶される情報の一例を示す図である。
【図１５】本発明の実施の形態における閾値情報手段に記憶される情報の一例を示す図である。
【図１６】本発明の実施の形態における電力情報対比画面の各フレームを定義したメインの画面情報の模擬コードの一例を示す図である。
【図１７】本発明の実施の形態における電力情報対比画面の各フレームの画面情報の模擬コードの一例を示す図である。
【図１８】本発明の実施の形態における電力情報表示システムの動作の一例を示すシーケンス図である。
【図１９】本発明の実施の形態における電力情報対比画面が生成される処理手順の一例を示すフローチャート図である。
【図２０】本発明の実施の形態における表示装置の位置に対応する区域の特定方法の一例を示す概要図である。
【図２１】本発明の実施形態の変形例における情報管理サーバの機能構成の一例を示す図である。
【図２２】本発明の実施形態の変形例における電力情報表示システムの動作の一例を示すシーケンス図である。
【発明を実施するための形態】
【００１１】
以下、本発明の実施の形態について、図面を用いて説明する。
[システム構成]
図１は、本発明の実施の形態における電力情報表示システム１の構成例を示す図である。図１（Ａ）に示されるように、電力情報表示システム１は、表示装置１０ａ、１０ｂ、・・１０ｎ（それぞれを区別しない場合は「表示装置１０」という。）と、通信装置２０ａ、２０ｂ、２０ｃ・・・２０ｎ（それぞれを区別しない場合は「通信装置２０」という。）と、ゲートウェイ装置３０ａ、・・・３０ｎ（それぞれを区別しない場合は「ゲートウェイ装置３０」という。）と、情報管理サーバ４０とを有する。表示装置１０と通信装置２０とゲートウェイ装置３０とは、ＩＥＥＥ８０２．１５．４及びＺｉｇＢｅｅ（登録商標）によるＰＡＮ（Personal  Area  Network）等の無線ネットワーク９７を介して、通信可能に接続されている。ここで表示装置１０は、表示装置１０に内蔵又は外部に取り付けられている無線通信機１１を用いて、無線ネットワーク９７を介し通信する。ゲートウェイ装置３０と情報管理サーバ４０とは、ＬＡＮ（Local  Area  Network）又はインターネット等のネットワーク９８を介して、通信可能に接続されている。表示装置１０と情報管理サーバ４０とは、アクセスポイント９０を介して、ＩＥＥＥ８０２．１１の通信規格に準拠する無線ＬＡＮ等のネットワーク９９を介して通信可能に接続されている。なお、無線ネットワーク９７、ネットワーク９８及びネットワーク９９の通信方式は上記に限定されず、ＬＡＮは有線又は無線の別を問うものではなく、各装置間の通信が可能であれば、例えば移動通信網や近距離無線通信規格のＩＥＥＥ８０２．１５．１（Bluetooth（登録商標））等であってもよい。そして、本発明の実施の形態において、図１（Ａ）に示されるように、建物内の部屋毎に配電盤５０ａ、５０ｂ、・・・５０ｎ（それぞれを区別しない場合は「配電盤５０」という。）が設置されている。図１（Ｂ）に示されるように、各配電盤５０は、配電盤５０の電力を測定する電力測定機器５１ａ、５１ｂ、・・・５１ｎ（それぞれを区別しない場合は「電力測定機器５１」という。）がキャブタイヤケーブル（ＣＴケーブル）により接続されている。電力測定機器５１は、いわゆる電気機器や電力設備の消費電力を測定する装置であって、一般に市販されているものでよい。なお、電力測定機器５１はＩＥＥ８０２．３準拠の有線ＬＡＮ又はＩＥＥＥ８０２．１１準拠の無線ＬＡＮにより通信する通信機能を有する。この電力測定機器５１と情報管理サーバ４０とは、例えばＩＥＥ８０２．３準拠の有線ＬＡＮ又はＩＥＥＥ８０２．１１準拠の無線ＬＡＮにより通信可能に接続されている。また、図１（Ａ）の例では、表示装置１０がプロジェクタである場合に、画像データを表示させるスクリーン６０ａ、・・・６０ｎ（それぞれを区別しない場合は「スクリーン６０」という。）が設置されている。
【００１２】
電力情報表示システム１とは、配電盤５０における電力消費量と表示装置１０の位置情報とを管理する情報管理サーバ４０が、表示装置１０が位置する場所の過去の電力消費量と現在消費している電力消費量とを対比させた画面（以下、「電力情報対比画面」という。）を表示装置１０に送信し、その電力情報対比画面を表示装置１０に表示させるシステムである。ここで図２は、本発明の実施の形態における電力情報対比画面の一例を示す図である。図２に示されるように、電力情報対比画面７００は、対比する対象の日付を表示する部分７０１、現在地を表示する部分７０２、現在の電力消費量の過去（例えば、前年）の電力消費量に対する比率を表示する部分７０３及び過去及び現在の電力消費量を対比させたグラフ７０４を有する。本発明の実施の形態において、例えば、対比する対象の日付を１年前とする場合は、「月」、「週（例えば第4週目）」、「曜日」が同一な1年前の日付である。現在地を表示する部分７０２には、「事業所」、「フロア（階数）」及び「区域名」が含まれる。「区域名」は、配電盤５０の設置された位置に対応するエリア（以下、「区域」という。）の名称である。また、グラフ７０４において、棒グラフが現在の電力消費量、折れ線グラフが過去の電力消費量を表す。
【００１３】
図１に戻り説明する。表示装置１０は、本発明の実施形態において例えば画像や映像をスクリーン６０等に投影する表示機能を有するプロジェクタ又は液晶や有機ＥＬ等のディスプレイ（自機又は他の機器を問わない）に画像等を表示させる機能を有するＰＣ（Personal  Computer）である。また、表示装置１０は、ネットワーク９９を介してデータを受信する通信機能を備える。また、表示装置１０は、具備する無線通信機１１を用いて、例えば通信装置２０から送信される、地上補完信号ＩＭＥＳ（Indoor  Messaging  System）規格に準ずる測位信号を受信して、位置情報を取得する。そして表示装置１０は、具備する無線通信機１１を用いて、無線ネットワーク９７を介して、受信した位置情報を、例えばＩＥＥＥ８０２．１５．４及びＺｉｇＢｅｅ（登録商標）のような近距離無線通信により情報管理サーバ４０に送信する。なお、表示装置１０が具備する無線通信機１１は、能動的に電波を送信する、例えばアクティブタグの特徴を有してもよい。
【００１４】
通信装置２０は、例えば部屋の天井等に固定され、固定された位置に係る位置情報を連続的又は断続的に送信する。通信装置２０は、それぞれ独立した筐体を有し、予め設置された電源から給電されて動作するか、あるいはＬＥＤ蛍光管のような照明器具に組み込まれ、この照明器具から給電されて動作する。通信装置２０は、自機が保持する位置情報を、無線信号により所定の範囲に送信する。所定の範囲は、用いられる無線信号の信号強度及び送信アンテナの指向性等によって定められる。通信装置２０は、位置の管理対象となる領域をカバーするように配置され、それぞれの領域が重複しないように構成される。あるいは、重複する場合であっても、位置情報を受信する側において、受信電波の強度に基づいて、何れか一つの通信装置２０が決定できるよう構成される。図１（Ａ）の例では、通信装置２０の下方に示される円錐型の点線が、所定の範囲を表している。位置情報を送信する通信方式として、例えば地上補完信号ＩＭＥＳを用いることができる。また、通信装置２０は表示装置１０又はゲートウェイ装置３０に対して位置情報以外のデータを送受信することもできる。
【００１５】
なお、表示装置１０が通信装置２０からの位置情報を受信した場合の動作は次のようになる。表示装置１０が位置情報を受信すると、受信した位置情報と共に、例えばデバイスＩＤやＭＡＣアドレスのような表示装置１０を一意に識別する識別情報を含む情報を通信装置２０へ送信する。本発明の実施の形態では、表示装置１０の識別情報として、ＩＥＥＥ８０２．１５．４の短縮アドレスまたはＩＥＥＥ拡張（ＭＡＣ）アドレスを用いることができる。表示装置１０から通信装置２０へ送信された識別情報と位置情報は、次に、隣接する通信装置２０を経由して、ゲートウェイ装置３０に送信される。なお、表示装置１０における位置情報の送受信の動作は、表示装置１０において予め定めた周期（例えば1分間周期）や表示装置１０が加速度センサを備えている場合は、加速度の変化が検出されたタイミングで行われる。
【００１６】
ゲートウェイ装置３０は、無線ネットワーク９７とネットワーク９８とを相互に接続し、一方のネットワークから送信されたデータを他方のネットワークにブリッジする。ゲートウェイ装置３０は、例えば建物のフロア毎、または壁等で仕切られた部屋毎に設置される。無線ネットワーク９７がＩＥＥＥ８０２．１５．４及びＺｉｇＢｅｅ（登録商標）によるＰＡＮ（Personal  Area  Network）であり、ネットワーク９８がＩＥＥＥ８０２．３規格に準拠するＬＡＮである場合は、それらの間の通信方式の変換を行う。また、表示装置１０の識別情報がＩＥＥＥ８０２．１５．４の短縮アドレスで表されている場合には、ＰＡＮ構成時の情報に基づきＩＥＥＥ拡張アドレスに変換し、情報管理サーバ４０に送信する。
【００１７】
情報管理サーバ４０は、表示装置１０の位置情報を管理する位置情報管理機能、配電盤５０における電力消費量を管理する電力情報管理機能、電力情報対比画面を生成する画像生成機能及び情報通信機能等を有する。情報管理サーバ４０は、表示装置１０にネットワーク９９を介して電力情報対比画面を送信する。また、情報管理サーバ４０は、位置情報を管理するデータベース及び電力情報を管理するデータベースの他に、配電盤５０の位置に対応するエリアを示す区域と位置情報（緯度、経度、事業所、階数等）とを対応付けたデータベース及び電力消費量が所定の閾値を超過した場合の報知に利用するデータベース等を有する。情報管理サーバ４０は、これらの各データベースの情報に基づき、電力情報対比画面を生成するために用いる電力情報を抽出する。
【００１８】
なお、無線ネットワーク９７が上述したように表示装置１０と通信装置２０とゲートウェイ装置３０とを接続する、例えばＩＥＥＥ８０２．１５．４及びＺｉｇＢｅｅ（登録商標）規格によって構成されるＰＡＮである場合は、表示装置１０、通信装置２０及びゲートウェイ装置３０は、それぞれＺｉｇＢｅｅ（登録商標）規格で定められるエンドデバイス機能、ルータ機能及びコーディネータ機能を有する。そして、表示装置１０及び通信装置２０は、起動時にゲートウェイ装置３０の管理下に入り、ＰＡＮを構成し、ゲートウェイ装置３０への最小経路が決定される。
【００１９】
上述したように、本発明の実施の形態における電力情報表示システム１において、表示装置１０は、最寄りの通信装置２０と通信できるだけの電力を用いて、データを情報管理サーバ４０に送信することができる。また、通信装置２０を設置するための新たなインフラの敷設が不要であり、導入コストを低減することができる。
【００２０】
なお、通信装置２０の位置情報は、ＩＥＥＥ８０２．１１規格に準拠した無線ＬＡＮを介して提供されてもよい。これにより、例えばＩＭＥＳを用いた位置情報等を送信するための送信手段が不要となる。
【００２１】
また、表示装置１０は、位置情報を送信した通信装置２０よりさらに近傍にゲートウェイ装置３０が存在する場合には、位置情報等のデータをゲートウェイ装置３０に送信してもよい。これにより、最短経路で識別情報と位置情報とを情報管理サーバ４０に送信できる。
【００２２】
また、情報管理サーバ４０に、ゲートウェイ装置３０の機能を統合してもよい。これにより、ゲートウェイ装置３０の設置が不要となる。
【００２３】
また、上述の位置情報に加えて、例えば部屋の中の区画を表す情報のような、より細かな位置を特定する情報を含んでもよい。これにより、より細かな位置管理が可能となる。
【００２４】
また、無線ネットワーク９７は、例えばＢｌｕｅｔｏｏｔｈ（登録商標）  ＬＥ、ＡＮＴ、Ｚ−Ｗａｖｅ等の近距離無線通信を用いて構成されてもよい。これにより、多様な表示装置１０の位置情報を管理することが可能となる。
【００２５】
また、ネットワーク９８は、例えばインターネットのような、複数の種類のネットワークを含んでもよい。これにより、無線ネットワーク９７と情報管理サーバ４０との間の物理的な距離に関係なく、表示装置装置１０の位置情報を管理することが可能となる。
［システム動作概要］
本発明の実施の形態において、表示装置１０に電力情報対比画面を表示させる電力情報表示システム１の動作概要を説明する。
【００２６】
（１）表示装置１０は、通信装置２０から定期的（例えば１分周期）に送信された位置情報を受信し、情報管理サーバ４０に受信した位置情報と表示装置１０を一意に識別する識別情報とを無線ネットワーク９７を介して送信する。情報管理サーバ４０は、表示装置１０の識別情報と位置情報とを対応付けてデータベースに記憶する。
【００２７】
（２）情報管理サーバ４０は、配電盤５０における電力消費量を、電力測定機器５１を介して定期的（例えば１時間周期）に受信する。情報管理サーバ４０は電力消費量を、配電盤５０の位置に対応する区域と対応付けてデータベースに記憶する。
【００２８】
上述した（１）及び（２）の処理は、それぞれ独立して動作しており、継続して繰り返し実行される。
【００２９】
（３）表示装置１０は電力情報対比画面を表示させる（取得する）ための要求を、ネットワーク９９を介して情報管理サーバ４０に送信する。
【００３０】
（４）情報管理サーバ４０は、表示装置１０からの要求を受信すると、位置情報が記憶されたデータベースと、電力情報が記憶されたデータベースとに含まれる情報に基づき、表示装置１０の位置に対応する区域の電力情報を抽出する。次いで、情報管理サーバ４０は、抽出した電力情報に基づき、図２に示されるような電力情報対比画面を生成する。なお、電力情報対比画面を生成する処理は、電力情報を表示する時間単位（周期）毎に繰り返し実行される。
【００３１】
（５）情報管理サーバ４０は生成した電力情報対比画面を、ネットワーク９９を介して表示装置１０に送信する。
【００３２】
（６）表示装置１０は、電力情報対比画面を受信すると、受信した電力情報対比画面を自機の画面に表示するか、又はスクリーン６０に投影する。
【００３３】
以上（１）〜（６）の動作により、電力情報表示システム１は、表示装置１０に電力情報対比画面を表示させることができる。そして、表示装置１０のユーザは、簡易に現在地における現在と過去の電力消費量を把握することができる。
[ハードウェア構成]
図３、図４、図５、図６はそれぞれ、表示装置１０、通信装置２０、ゲートウェイ装置３０及び情報管理サーバ４０のハードウェア構成の一例を示した図である。
【００３４】
＜表示装置＞
図３は、本発明の実施の形態における表示装置１０のハードウェア構成の一例を示す図である。表示装置１０は、ＣＰＵ１２１、ＲＡＭ１２２、ＲＯＭ１２３、ＨＤＤ１２４、第一通信部１２５、測位信号受信部１２６、第二通信部１２７、表示部１２８、入力部１２９及びバス１３０等を有する。
【００３５】
ＣＰＵ１２１は、表示装置１０の動作制御を行うプログラムを実行する。ＲＡＭ１２２は、ＣＰＵ１２１のワークエリア等を構成する。ＲＯＭ１２３は、ＣＰＵ１２１が実行するプログラムや、プログラムの実行に必要なデータを記憶する。ＨＤＤ１２４は、例えば、半導体メモリ、磁気テープ、光学ディスク等の記憶装置であって、表示装置１０において表示する電力情報が記憶される。第一通信部１２５は、外部の装置と通信するための装置であり、例えば、ＺｉｇＢｅｅ（登録商標）のような、近距離無線通信方式に従って通信を行う装置である。測位信号受信部１２６は、通信装置２０が送信する測位信号を受信するための装置であり、例えば、ＩＭＥＳ規格により定義されたフレームフォーマットの測位信号を受信する。第二通信部１２７は、外部の装置と通信するための装置であり、例えば、無線ＬＡＮや携帯電話通信網を通じて通信を行う装置である。表示部１２８は、情報管理サーバ４０から送信された電力情報対比画面を表示する装置であって、例えば液晶や有機ＥＬのディスプレイである。なお、表示装置１０がプロジェクタである場合は、表示部１２８は光源から射出される光により読み出される投影画像を表示する。入力部１２９は、ユーザの入力を受け付ける装置であって、例えば、ハードウェアのボタン、キーボード、マウス、タッチパネル等である。バス１３０は、上記装置を電気的に接続する。
【００３６】
上記構成により、本発明の実施の形態における表示装置１０は、通信装置２０から送信された測位信号から位置情報を取得し、この位置情報を、第一通信部１２５を用いて情報管理サーバ４０に送信することができる。そして、表示装置１０は、第二通信部１２７を用いて、情報管理サーバ４０から送信される電力情報対比画面を受信することができる。
【００３７】
なお、位置情報の送受信を行う第一通信部１２５及び測位信号受信部１２６は、表示装置１０の筐体外に備わっていてもよい。
【００３８】
なお、表示装置１０が具備する無線通信機１１は、図３に示される表示装置１０を構成する要素のうち、第一通信部１２５及び測位信号受信部１２６を有する。なお、無線通信機１１が表示装置１０の外部に取り付けられる場合は、第一通信部１２５及び測位信号受信部１２６は、表示装置１０の筐体の外に備わる。
【００３９】
＜通信装置＞
図４は、本発明の実施の形態における通信装置２０のハードウェア構成の一例を示す図である。通信装置２０は、ＣＰＵ２２１、ＲＡＭ２２２、ＲＯＭ２２３、通信部２２４、測位信号送信部２２５及びバス２２６等を有する。
【００４０】
ＣＰＵ２２１は、通信装置２０の動作制御を行うプログラムを実行する。ＲＡＭ２２２は、ＣＰＵ２２１のワークエリア等を構成する。ＲＯＭ２２３は、ＣＰＵ２２１が実行するプログラムや、プログラムの実行に必要なデータを記憶する。通信部２２４は、外部の装置と通信するための装置であり、例えば、ＺｉｇＢｅｅ（登録商標）のような近距離無線通信方式に従って無線通信可能な装置である。測位信号送信部２２５は、表示装置１０が現在位置を取得するために用いる測位信号を送信する装置であり、例えば、ＩＭＥＳ規格により定義されたフレームフォーマットで測位信号を送信する。具体的には、測位信号送信部５０８は、ＩＭＥＳ規格によって定義されるフレーム構造を有するデータを用いて、１．５７５４ＧＨｚの搬送波を変調して信号を生成し、これをアンテナより送出する。バス２２６は、上記装置を電気的に接続する。
【００４１】
上記構成により、本発明の実施の形態における通信装置２０は、表示装置１０が測位を行うために必要な、測位信号を送信することができる。また、表示装置１０と情報管理サーバ４０との間の通信を中継することができる。
【００４２】
＜ゲートウェイ装置＞
図５は、本発明の実施の形態におけるゲートウェイ装置３０のハードウェア構成を表す。ゲートウェイ装置３０は、ＣＰＵ３２１、ＲＡＭ３２２、ＲＯＭ３２３、第一通信部３２４、第二通信部３２５及びバス３２６等を有する。
【００４３】
ＣＰＵ３２１は、ゲートウェイ装置３０の動作制御を行うプログラムを実行する。ＲＡＭ３２２は、ＣＰＵ３２１のワークエリア等を構成する。ＲＯＭ３２３は、ＣＰＵ３２１が実行するプログラムや、プログラムの実行に必要なデータを記憶する。第一通信部３２４は、外部の装置と通信するための装置であり、例えば、ＺｉｇＢｅｅ（登録商標）のような近距離無線通信方式に従って無線通信可能な装置である。第二通信部５２５は、外部の装置と通信するための装置であり、例えば、ＩＥＥＥ８０２．３規格に基づくＬＡＮと接続するためのインタフェースを含む装置である。バス３２６は、上記装置を電気的に接続する。
【００４４】
上記構成により、本発明の実施の形態におけるゲートウェイ装置３０は、近距離無線通信ネットワークである無線ネットワーク９７を構成することができる。また、ゲートウェイ装置３０は、無線ネットワーク９７と、ネットワーク９８とを、相互に接続することができる。
【００４５】
＜情報管理サーバ＞
図６は、本発明の実施の形態における情報管理サーバ４０のハードウェア構成の一例を示した図である。情報管理サーバ４０は、ＣＰＵ４２１、ＲＡＭ４２２、ＲＯＭ４２３、ＨＤＤ４２４、第一通信部４２５、第二通信部４２６、表示部４２７、入力部４２８及びバス４２９等を有する。
【００４６】
ＣＰＵ４２１は、情報管理サーバ４０の動作制御を行うプログラムを実行する。ＲＡＭ４２２は、ＣＰＵ４２１のワークエリア等を構成する。ＲＯＭ４２３は、ＣＰＵ４２１が実行するプログラムや、プログラムの実行に必要なデータを記憶する。ＨＤＤ４２４は、例えば、半導体メモリ、磁気テープ、光学ディスク等の記憶装置であって、配電盤５０からの電力消費量等の情報が記憶される。第一通信部４２５は、例えばＩＥＥＥ８０２．３規格に準拠するイーサネット（登録商標）により通信を行う装置であり、ネットワーク９８を介してゲートウェイ装置３０と通信するためのインタフェースである。第二通信部４２６は、外部の装置と通信するための装置であり、例えば、無線ＬＡＮや携帯電話通信網を通じて通信を行う装置である。第二通信部４２６は、ネットワーク９９を介して表示装置１０に電力情報を送信し、表示装置１０から送信されるデータを受信するインタフェースである。表示部４２７は、例えば液晶や有機ＥＬのディスプレイ等のユーザに情報を出力する装置である。入力部４２８は、例えばキーボードや、マウスのように、ユーザからの入力を受け付ける装置である。バス４２９は、上記装置を電気的に接続する。
【００４７】
上記構成により、本発明の実施の形態における情報管理サーバ４０は、表示装置１０の位置情報及び電力消費量を管理し、表示装置１０に表示させる電力情報を送信することができる。
[機能構成]
図７は、本発明の実施の形態における電力情報表示システム１の機能構成の一例を示す図である。表示装置１０、通信装置２０、ゲートウェイ装置３０及び情報管理サーバ４０における各機能は、それぞれＣＰＵ１２１、ＣＰＵ２２１、ＣＰＵ３２１、ＣＰＵ４２１がプログラムを実行し、ハードウェアと協働することで実現される。
【００４８】
＜表示装置＞
本発明の実施の形態において表示装置１０は、位置情報通信Ｉ／Ｆ手段１０１、位置情報受付・更新要求手段１０２、記憶手段１０３、入力手段１０４、電力情報対比画面取得要求手段１０５、通信Ｉ／Ｆ手段１０６、電力情報対比画面受付手段１０７、表示手段１０８及び画面レイアウト変更手段１０９等を有する。
【００４９】
位置情報通信Ｉ／Ｆ手段１０１は、近距離無線通信用の無線ネットワーク９７を介して通信装置２０から送信された位置情報を受信し、受信した位置情報及び表示装置１０の識別情報を通信装置２０に送信する。
【００５０】
図８は、表示装置１０から情報管理サーバ４０に送信される位置情報を含む信号のフォーマットの一例である。図８に示されるように、階数、緯度、経度、棟番号、識別情報の各フィールドが、それぞれ９ビット、２１ビット、２１ビット、８ビット、４８ビットで表現され、ＩＭＥＳ規格によって受信したメッセージの該当フィールドを繋げた形とする。階数、緯度、経度、棟番号の各フィールドの表現形式はIMES規格に準ずる。識別情報は例えばＭＡＣアドレスである。なお、識別情報は、ＭＡＣアドレスに限定されるものではなく、デバイスＩＤ等であってもよい。通信方式として、例えばＩＥＥＥ８０２．１５．４及びＺｉｇＢｅｅ（登録商標）規格が用いられる。
【００５１】
位置情報受付・更新要求手段１０２は、位置情報通信Ｉ／Ｆ手段１０１を介して位置情報通知信号を受け付けると、記憶手段１０３に受信した位置情報を記憶する。次いで、情報管理サーバ４０に受信した位置情報と識別情報とを含む位置情報更新要求を、通信装置２０を介して情報管理サーバ４０に送信する。なお、位置情報受付・更新要求手段１０２が位置情報を情報管理サーバ４０に送信する契機は任意である。送信契機は、例えば、通信装置２０からの位置情報通知の受信時、表示装置１０の電源の投入時、一定周期毎等である。
【００５２】
記憶手段１０３は、図３のＲＡＭ１２２、ＲＯＭ１２３及びＨＤＤ１２４等が用いられ、表示装置１０の識別情報、受信した位置情報通知に含まれる位置情報及び表示する電力情報のファイル等が記憶される。
【００５３】
入力手段１０４は、図３の入力部１２９であるハードウェアのボタン、キーボードやマウス、タッチパネルの画面操作等によりユーザからの入力指示を受け付ける。本発明の実施の形態では、表示装置１０のユーザが電力情報を表示部１２８により表示させたい場合に、入力手段１０４を介して情報を入力する。
【００５４】
表示手段１０８は、図３の表示部１２８であるユーザインタフェース画面に、ユーザに対する情報を表示出力する。または、表示装置１０がプロジェクタである場合は、光源から射出される光により読み出される投影画像を表示する機能を有する。本発明の実施の形態では、表示装置１０のユーザが電力情報を表示部１２８に表示させるための入力画面や電力情報対比画面等を表示する。
【００５５】
図９は、本発明の実施の形態における表示装置１０に電力情報対比画面を表示させるための入力画面の一例を示す図である。
【００５６】
図９（Ａ）は、電力情報対比画面を表示させるために選択する画面であって、「ＹＥＳ」のソフトキーを押下すると、電力情報対比画面を情報管理サーバ４０から取得するための処理が実行される。
【００５７】
図９（Ｂ）は、表示させる電力情報の時間の単位を指定する画面である。図９（Ｂ）の例では、最小時間単位が「分」であるが、これは情報管理サーバ４０で管理している電力消費量の最小時間単位と同じである。よって、例えば、情報管理サーバ４０で１秒間あたりの電力消費量が記憶されている場合は、表示装置１０で指定可能な最小単位を「秒」としてもよい。また、表示装置１０において最小時間単位以外の単位（例えば、日単位）が指定されると、情報管理サーバ４０において最小時間単位のデータを日単位に集計したデータが、表示装置１０に送信される。また、図９（Ｂ）に示されるように、表示する時間単位をユーザが任意に指定することもできる。
【００５８】
図９（Ｃ）は、現在の電力消費量と対比させる過去の電力消費量の時期を指定する画面である。図９（Ｃ）の例では、「１年前」、「1ヶ月前」、「1週間前」、任意の「その他」の時期を指定することが可能である。ここで、図９（Ｃ）において例えば「1年前」を指定した場合は、現在日から遡って1年前の同月、同じ週（例えば、ある月の第４週目等）、同じ曜日のデータと対比される。
【００５９】
以上、図９（Ａ）〜（Ｃ）の入力画面においてユーザの入力が完了すると、現在地と過去の同地点を対比させた電力情報対比画面（図２参照）を表示させるための処理が実行される。
【００６０】
図９（Ｄ）は、オプションの入力画面であって、現在地と異なる場所における現在の電力消費量と比較するために、比較対象とする場所を指定する画面である。図９（Ｄ）において、「事業所」、「エリア（区域）」を指定すると、電力情報対比画面には、現在時刻における現在の場所と他の指定した場所との電力消費量が表示される。本発明の実施の形態において、情報管理サーバ４０は、複数の配電盤５０の位置に対応する区域を管理しているため、表示装置１０の現在地以外の地点の情報を容易に取得することができる。
【００６１】
なお、図９の入力画面は、例えば、電力情報対比画面表示用アプリケーションとして作成され、このアプリケーションをインストールし、起動することによって、入力画面が表示されるようにしてもよい。これにより、表示装置１０本体の開発者や提供者に限らず、このアプリケーションをダウンロードすれば簡易に電力情報表示システム１を利用することができる。また、例えば、表示装置１０の製品出荷前に予め入力画面を搭載するようにしてもよい。
【００６２】
図７に戻り説明する。
【００６３】
電力情報対比画面取得要求手段１０５は、電力情報対比画面を表示させるための入力画面（図９参照）において、入力手段１０４により入力操作が実行されると、電力情報対比画面取得要求を生成し、通信Ｉ／Ｆ１０６手段１０６を介して、情報管理サーバ４０に送信する。電力情報対比画面取得要求には、表示装置１０の識別情報（例えば、ＭＡＣアドレス）が含まれる。
【００６４】
通信Ｉ／Ｆ手段１０６は、第二通信部１２７を制御し、例えばＩＥＥＥ８０２．１１規格に準拠する無線ＬＡＮであるネットワーク９９を介してデータの送受信を行う。本発明の実施の形態では、通信Ｉ／Ｆ手段１０６は、情報管理サーバ４０に電力情報対比画面取得要求を送信し、情報管理サーバ４０から電力情報対比画面を受信するインタフェースとして機能する。なお、通信Ｉ／Ｆ手段１０６が用いる通信規格は、ＩＥＥＥ８０２．１１の通信規格に限らず、例えばＩＥＥＥ８０２．３規格に基づくイーサネットによりデータ通信を行ってもよい。
【００６５】
電力情報対比画面受付手段１０７は、情報管理サーバ４０から送信される電力情報対比画面を、通信Ｉ／Ｆ手段１０６を介して受け付けると、表示手段１０８に受信した電力情報対比画面を表示させる。
【００６６】
画面レイアウト変更手段１０９は、表示手段１０８により表示される画面のレイアウトを変更し、例えば、電力情報対比画面を画面の一部の領域に表示させる。
【００６７】
図１０は、本発明の実施の形態において、画面のレイアウト変更後の電力情報対比画面が表示される画面の一例を示す図である。図１０に示されるように、電力消費量を対比して表示されたグラフ７０４が、プレゼンテーション等に用いられる通常の画像７１０の一部に重畳して表示される。なお、画面レイアウトの構成は、図１０に示される構成に限らない。
【００６８】
＜通信装置＞
本発明の実施の形態において通信装置２０は、位置情報格納手段２０１、位置情報通知手段２０２及び位置情報通信Ｉ／Ｆ手段２０３等を有する。
【００６９】
位置情報格納手段２０１は、通信装置２０が設置される位置を表す位置情報を格納する。位置情報には、例えば、緯度、経度、フロア（階数）、建物の棟番号を表す情報が含まれる。図１１は、本発明の実施の形態における通信装置２０の位置情報格納手段２０１が記憶する情報の一例を示す図である。図１１に示されるように、位置情報格納手段２０１には、緯度、経度、階数、棟番号等の項目が含まれる。緯度及び経度は、通信装置２０の所在する位置の緯度及び経度を表す。階数は、通信装置２０が設置される建物の階数を表す。棟番号は、通信装置２０が設置される建物の棟番号を表す。図１１の例において、通信装置２０は、Ｃ棟の１６階であって、緯度が「35.459555」、経度が「139.387110」の地点に所在する。この位置情報は、予め、電力情報表示システム１の管理者等によって設定される。なお、位置情報には部屋の中の区画を表す情報のような追加の情報を含んでもよい。これにより、より詳細な位置管理が可能となる。
【００７０】
位置情報通知手段２０２は、位置情報格納手段２０１に格納された位置情報に基づき位置情報通知信号を生成し、表示装置１０に送信する。位置情報通知信号は、例えば、ＩＭＥＳ規格によって定義されるフレーム構造によって構成される。また、位置情報通知の送信契機は任意であるが、一定周期（例えば、１分間隔）で送信する。
【００７１】
位置情報通信Ｉ／Ｆ手段２０３は、位置情報通知信号を表示装置１０に送信し、また表示装置１０から送信された位置情報及び識別情報が含まれたデータをゲートウェイ装置３０に転送する。無線ネットワーク９７にＺｉｇＢｅｅ（登録商標）規格が用いられる場合、データ転送は通信装置２０が保持するルーティング情報を用いて行われる。なお、位置情報通信Ｉ／Ｆ手段２０２は、位置情報以外のデータ転送を行うこともできる。
【００７２】
＜ゲートウェイ装置＞
本発明の実施の形態において、ゲートウェイ装置３０は、位置情報通信Ｉ／Ｆ手段３０１及び通信変換手段３０２等を有する。
【００７３】
位置情報通信Ｉ／Ｆ手段３０１は、通信装置２０からのデータを受信すると、受信したデータの宛先アドレスとゲートウェイ装置３０が保持するルーティン情報とに基づき、情報管理サーバ４０に転送する。なお、情報管理サーバ４０から通信装置２０へのルートの通信も可能である。
【００７４】
通信変換手段３０２は、無線ネットワーク９７に属する表示装置１０から受信したデータを、異なるネットワークであるネットワーク９８に適合する形式に変換する。
【００７５】
＜情報管理サーバ＞
本発明の実施の形態において、情報管理サーバ４０は、位置情報通信Ｉ／Ｆ手段４０１、位置情報受付・管理手段４０２、位置情報記憶手段４０３、通信Ｉ／Ｆ手段４０４、電力情報対比画面取得要求受付手段４０５、電力情報抽出手段４０６、区域情報記憶手段４０７、電力消費量取得手段４０８、電力情報記憶手段４０９、閾値情報記憶手段４１０、電力情報対比画面生成手段４１１及び電力情報対比画面送信手段４１２等を有する。
【００７６】
位置情報通信Ｉ／Ｆ手段４０１は、例えばＩＥＥＥ８０２．３規格に準拠するイーサネット（登録商標）によりゲートウェイ装置３０とデータの送受信を行う。本発明の実施の形態において、ゲートウェイ装置３０から送信された表示装置１０からの位置情報更新要求を受信すると、位置情報受付・管理手段４０２に通知する。なお、位置情報通信Ｉ／Ｆ手段４０１が用いる通信規格はＩＥＥＥ８０２．３規格に限らず、例えばＩＥＥＥ８０２．１１規格に準拠する無線ＬＡＮを用いてもよい。
【００７７】
位置情報受付・管理手段４０２は、位置情報通信Ｉ／Ｆ手段４０１を介して受け付けた位置情報更新要求に基づき、表示装置１０の識別情報に位置情報を対応付けて位置情報記憶手段４０３に記憶する。
【００７８】
位置情報記憶手段４０３は、位置情報を識別情報と対応付けて記憶する。図１２は本発明の実施の形態における位置情報記憶手段４０３に記憶される情報の一例を示す図である。図１２に示されるように、位置情報記憶手段４０３は、識別情報、緯度、経度、階数、棟及び受信日時等が記憶される。識別情報は、表示装置１０を一意に識別する識別情報であり、例えばＭＡＣアドレスである。緯度、経度、階数、棟は、表示装置１０から送信された位置情報に含まれる情報である。受信日時は、位置情報受付・管理手段４０２が、識別情報及び位置情報を受信した日時である。
【００７９】
通信Ｉ／Ｆ手段４０４は、例えばＩＥＥＥ８０２．１１規格に準拠する無線ＬＡＮにより表示装置１０とデータ通信を行う。本発明の実施の形態において、通信Ｉ／Ｆ手段４０４は、表示装置１０から送信された電力情報対比画面取得要求を受信し、また表示装置１０に電力情報対比画面を送信する。なお、通信Ｉ／Ｆ手段４０４が用いる通信規格は、ＩＥＥＥ８０２．１１規格に限らず例えばＩＥＥＥ８０２．３規格に準拠するイーサネット（登録商標）であってもよい。
【００８０】
電力情報対比画面取得要求受付手段４０５は、表示装置１０から送信される電力情報対比画面を取得するための電力情報対比画面取得要求を受け付け、電力情報抽出手段４０６に表示装置１０に位置に対応する電力情報を抽出する処理を実行させる。
【００８１】
電力情報抽出手段４０６は、電力情報対比画面取得要求に基づき、表示装置１０の位置に対応する電力情報を電力情報記憶手段４０９から抽出する。なお、電力情報抽出手段４０６が電力情報を抽出する契機は、電力情報対比画面取得要求の受付時又はこの電力情報対比画面取得要求に指定されていた表示させる時間単位（図９（Ｂ）参照）の経過時である。電力情報抽出手段４０５による電力情報の詳細な抽出手順は、図１９において後述する。
【００８２】
区域情報記憶手段４０７は、配電盤５０の位置に対応するエリアを示す区域と位置情報（緯度、経度、事業所、階数等）とを対応付けて記憶する。図１３は、本発明の実施の形態において区域情報記憶手段４０７に記憶される情報の一例を示す図である。図１３に示されるように、区域情報記憶手段４０７には、「区域名」、「東端」、「西端」、「南端」、「北端」、「事業所」、「フロア」及び「区域管理者」の項目が含まれる。「区域名」は、配電盤５０の設置された位置に対応するエリアを示す名称であり、任意に設定可能である。「東端」及び「西端」は、区域の東側と西側との境界線を、経度（東経）で表したものである。「南端」及び「北端」は、区域の南側と北側との境界線を、緯度（北緯）で表したものである。すなわち、「区域」の範囲は、矩形で定義され得る。但し、本発明においては、この定義の方法に限らず、例えば、複数の緯度・経度を用いて、五つ以上の辺を有する多角形等によって、区域の範囲を定義してもよい。「区域管理者」は、予め定められた区域の管理者である。図１３の例では、例えば、「Ｙ４−Ｓエリア」は、北緯「35.66630」から北緯「35.66660」、東経「139.76520」から東経「139.76570」の4点に囲まれた範囲であって、「横浜事業所」の「４」階であることを示す。
【００８３】
電力消費量取得手段４０８は、配電盤５０の電力を測定する電力測定機器５１から電力消費量及び電力測定機器５１の識別情報（例えばMACアドレスやデバイスID）等を含む電力情報を取得し、取得した電力消費量を電力情報記憶手段４０９に記憶させる。
【００８４】
電力情報記憶手段４０９は、区域毎に時系列で電力消費量を記憶する。図１４は、本発明の実施の形態における電力情報記憶手段４０９に記憶される情報の一例を示す図である。図１４に示されるように、電力情報記憶手段４０９には、「区域名」、取得した電気消費量の「年月日」及び「時間帯」、週と曜日とを示す「週・曜日データ」、電力測定機器５１から取得した「電力消費量」が含まれる。本発明の実施の形態では、電力測定機器５１が送信する電力情報には、電力測定機器５１の識別情報が含まれる。そして、情報管理サーバ４０には、予め各電力測定機器５１の識別情報と区域名とが対応付けられて記憶されている。そのため、電力情報記憶手段４０９における「区域名」は、電力測定機器５１の識別情報に基づき設定される。また、電力情報記憶手段４０９に蓄積される過去のデータは、例えば、現在から遡って1年前のデータである。なお、情報管理サーバ４０の記憶領域であるＲＡＭ４２２やＨＤＤ４２４又は外部記録媒体等の容量次第で、更に過去のデータを蓄積してもよい。また、図１４の例では、電力測定機器５１から取得する電力消費量は、例えば1時間単位に集計されたデータであり、「時間帯」はその集計されたデータに対応する時間帯を示す。なお、電力測定機器５１から取得する電力消費量の時間単位は、１時間単位に限られるものではなく、例えば「１秒単位」や「分単位」であってもよく、情報管理サーバ４０が保持する記憶容量に応じて任意に変更可能である。なお、このデータの集計処理は、電力測定機器５１で実行されてもよいし、情報管理サーバ４０で実行されてもよい。「週・曜日データ」は「年月日」のデータに基づき設定される。
【００８５】
閾値情報記憶手段４１０は、現在の電力消費量と過去の電力消費量との差が一定の閾値以上である場合に、表示装置１０にアラームを報知する際の基準となる閾値を記憶する。本発明の実施の形態では、閾値は現在の電力消費量の過去の電力消費量に対する比として表される。また、本発明の実施の形態では、表示装置１０に対するアラームの報知は、電力情報対比画面の一部（図２中の一部分７０３等）の色を変えたり、点滅させたりすることにより行われる。図１５は、本発明の実施の形態における閾値情報記憶手段４１０に記憶される情報の一例を示す図である。図１５に示されるように、閾値情報記憶手段４１０は「アラーム種別」と「閾値」とを有する。「アラーム種別」は例えば、「警告」、「要注意」、「注意」の三種類であって、それぞれの種別に応じて、電力情報表示画面の表示を変更する。例えば、図２に示される、現在の電力消費量の過去の電力消費量に対する比率を表示する部分７０３の色を変えたり、点滅させたりする。「閾値」は、現在の電力消費量と過去の電力消費量との比であって、例えば「警告」に対応する「４０％」は、現在の電力消費量が過去の電力消費量に比べて４０％以上増加した場合に、「警告」レベルのアラームを表示させる。なお、アラーム種別の数、閾値、アラームの種別毎の報知方法は、上記に限られない。
【００８６】
電力情報対比画面生成手段４１１は、電力情報抽出手段４０６から通知された電力情報に基づき、図２に示される電力情報対比画面を生成し、生成した画面を電力情報送信手段に送信するように要求する。電力情報対比画面生成手段４１１は、電力情報対比画面を、例えばＨＴＭＬ（Hyper  Text  Markup  Language）、ＤＨＴＭＬ（Dynamic  HTML）、ＸＭＬ（Extensible  Markup Language）等の言語を用いて生成する。図１６は、本発明の実施の形態における電力情報対比画面における各フレーム（図２における対比する対象の日付を表示する部分７０１、現在地を表示する部分７０２、現在の電力消費量の過去の電力消費量に対する比率を表示する部分７０３、過去及び現在の電力消費量を対比させたグラフ７０４）を定義したメインの画面情報の模擬コードの一例を示す図である。図１６において、対比する対象の日付を表示する部分７０１をA.html、現在地を表示する部分７０２をB.html、現在の電力消費量の過去の電力消費量に対する比率を表示する部分７０３をC.html、過去及び現在の電力消費量を対比させたグラフ７０４をD.htmlとした。図１６に示される表示コードに基づき、図２に示すような領域毎にフレームが分割された画面が表示される。図１７は、本発明の実施の形態における各フレームの画面情報の模擬コードの一例を示す図である。図１７に示される表示コードに基づき、図２に示されるような各部分の画像が表示される。
【００８７】
電力情報対比画面送信手段４１２は、生成した電力情報対比画面を、通信Ｉ／Ｆ手段４０４を介して表示装置１０に送信する。
[動作手順]
本発明の実施の形態における電力情報表示システム１の動作手順を説明する。
【００８８】
図１８は、本発明の実施の形態において電力情報表示システム１の動作手順を示すシーケンス図の一例である。
【００８９】
Ｓ１０１：通信装置２０の位置情報通知手段２０２は、位置情報格納手段２０１から取得した位置情報を、位置情報通信Ｉ／Ｆ手段２０３を介しＩＭＥＳ等により連続的又は断続的に送信する。
【００９０】
Ｓ１０２：表示装置１０の位置情報受付・更新要求手段１０２は、周期的（例えば1分周期）に行われる位置情報の受信処理により、通信装置２０から送信される位置情報を位置情報通信Ｉ／Ｆ手段１０１を介して受信する。なお、表示装置１０が加速度センサを備えている場合は、加速度の変化の検知を契機に位置情報を受信してもよい。
【００９１】
Ｓ１０３：位置情報受付・更新要求手段１０２は、受信した位置情報を、記憶手段１０３に記憶する。
【００９２】
Ｓ１０４：位置情報受付・更新要求手段１０２は、記憶手段１０３に記憶された表示装置１０の識別情報と受信した位置情報とを、位置情報通信Ｉ／Ｆ手段１０１を介し情報管理サーバ４０の宛先アドレスに送信する。
【００９３】
Ｓ１０５：通信装置２０の位置情報通信Ｉ／Ｆ手段２０３は、データの宛先アドレスと自機が保有するルーティングテーブルとに基づき、ゲートウェイ装置３０に転送する。
【００９４】
Ｓ１０６：ゲートウェイ装置３０の通信変換手段３０２は、位置情報通信Ｉ／Ｆ手段３０１が通信装置２０からデータを受信すると、通信装置２０から転送された無線ネットワーク９７の通信方式（プロトコル）のデータを、ネットワーク９８に適合する方式に変換する。
【００９５】
Ｓ１０７：ゲートウェイ装置３０の位置情報通信Ｉ／Ｆ手段３０１は、通信変換手段３０１によって変換されたデータを、データの宛先アドレスと自機が保有するルーティングテーブルとに基づき、情報管理サーバ４０に送信する。
【００９６】
Ｓ１０８：情報管理サーバ４０の位置情報受付・管理手段４０２は、位置情報通信Ｉ／Ｆ手段４０１を介して受信した表示装置１０の位置情報と識別情報とを対応付けて位置情報記憶手段４０３に記憶する（図１２参照）。
【００９７】
上述したステップＳ１０１〜Ｓ１０８の手順により、情報管理サーバ４０は、表示装置１０の位置情報を取得し、管理することができる。なお、このステップＳ１０１〜Ｓ１０８の手順は繰り返し実行され、常時、表示装置１０の最新の位置情報が更新される。
【００９８】
Ｓ１０９：情報管理サーバ４０の電力消費量取得手段４０８は、電力測定機器５１から送信される配電盤５０における電力消費量を取得する。このとき電力測定機器５１から電力消費量とともに、電力測定機器５１の識別情報が送信される。なお、電力測定機器５１から電力消費量が送信される周期は、例えば１時間である。但し、この周期は例えば１分間周期でもよく、任意に設定可能である。
【００９９】
Ｓ１１０：情報管理サーバ４０の電力消費量取得手段４０８は、受信した電力測定機器５１の識別情報に基づき、配電盤５０の設置場所を示す区域名を導出する。そして、その区域名と電力消費量とを対応付けて、電力情報記憶手段４０９に記憶する（図１４参照）。
【０１００】
上述したステップＳ１０９〜Ｓ１１０の手順により、情報管理サーバ４０は、配電盤５０の設置場所（区域）毎に電力消費量を管理することができる。なお、このステップＳ１０９〜１１０の手順は繰り返し実行される。
【０１０１】
また、上述したステップＳ１０１〜Ｓ１０８の手順とステップＳ１０９〜Ｓ１１０の手順とはそれぞれ独立して実行される処理である。
【０１０２】
Ｓ１１１：表示装置１０のユーザは、表示装置１０の表示部１２８に電力情報対比画面を表示させるために、例えば表示装置１０のハードウェアのボタンを押下し、図９に示される画面を表示させる。そして、ユーザは入力手段１０４を介して、電力情報対比画面を表示させる指示を入力する。
【０１０３】
Ｓ１１２：電力情報対比画面取得要求手段１０５は、ユーザによって図９（Ｂ）・（Ｃ）の画面において入力された情報と記憶手段１０３に記憶されている表示装置の識別情報とを含む電力情報対比画面取得要求を、通信Ｉ／Ｆ手段１０６を介して情報管理サーバ４０に送信する。
【０１０４】
Ｓ１１３：情報管理サーバ４０の電力情報対比画面取得要求受付手段４０５が、通信Ｉ／Ｆ手段４０４を介して電力情報対比画面取得要求を受信すると、電力情報抽出手段４０６に電力情報対比画面の生成に必要な電力情報の抽出の処理を実行させる。電力情報抽出手段４０６は、表示装置１０の識別情報に基づき、位置情報記憶手段４０３、区域情報記憶手段４０７及び電力情報記憶手段４０９に記憶される各情報を利用して、表示装置１０の現在の位置に対応する電力情報を抽出する。
【０１０５】
Ｓ１１４：電力情報対比画面生成手段４１１は、電力情報抽出手段４０６によって抽出された電力情報に基づき、電力情報対比画面を生成する。
【０１０６】
Ｓ１１５：電力情報対比画面送信手段４１２は、電力情報対比画面生成手段４１１によって生成された電力情報対比画面を表示装置１０に、通信Ｉ／Ｆ手段４０４を介して送信する。
【０１０７】
Ｓ１１６：表示装置１０の電力情報対比画面受付手段１０７が通信Ｉ／Ｆ手段１０６を介して電力情報対比画面を受信すると、表示手段１０８に表示させる。表示手段１０８は、表示部１２８に電力情報対比画面を表示させる。
【０１０８】
なお、ステップＳ１１６の手順後、画面レイアウト変更手段１０９によって、例えば図１０に示されるように、表示部１２８の一部の領域に電力情報対比画面を表示させることができる。
【０１０９】
上述した動作手順により、電力情報表示システム１は、表示装置１０の位置情報を利用することによって、簡易に表示装置１０の現在の位置における電力消費量を表示装置１０に表示させることができる。また、表示装置１０に表示される電力情報対比画面は、現在と過去との電力消費量が対比して表示されるため、現時点での電力消費量の程度を表示装置１０のユーザは容易に把握することができる。
[フローチャート]
本発明の実施の形態において、情報管理サーバ４０で実行される電力情報対比画面が生成される処理手順について説明する。
【０１１０】
図１９は本発明の実施の形態における情報管理サーバ４０での電力情報対比画面が生成される処理手順の一例を示したフローチャート図である。
【０１１１】
Ｓ２０１：情報管理サーバ４０において、表示装置１０の位置情報が所定の周期（例えば1分間周期）で位置情報記憶手段４０３に記憶（更新）される。また、配電盤５０における電力消費量が所定の周期（例えば1時間周期）で電力情報記憶手段４０９に記憶される。
【０１１２】
Ｓ２０２：電力情報対比画面取得要求受付手段４０５は、表示装置１０から送信された電力情報対比画面取得要求を受信する。受信した電力情報対比画面取得要求には、図９に示される入力画面に基づき入力された電力情報対比画面の表示形式等を指定する情報（例えば、１時間単位での電力消費量を表示する等）と、表示装置１０の識別情報（例えば、ＭＡＣアドレス）が含まれている。ここで、例えば表示装置１０の識別情報が「002673abcd01」とする。また、例えば表示装置１０のユーザによって、「１時間単位」の電力消費量を、「１年前」と対比する指示が入力されている。
【０１１３】
Ｓ２０３：電力情報抽出手段４０６は、位置情報記憶手段４０３に記憶される識別情報
の中から、受信した表示装置１０の識別情報と同じ識別情報に対応する位置情報を抽出する。具体例を示すと、表示装置１０の識別情報「002673abcd01」に対応する位置情報を図１２に示される位置情報記憶手段４０３から抽出すると、位置情報は、緯度が「35.66650」、経度が「139.76540」、階数（フロア）が「４」階である。
【０１１４】
Ｓ２０４：電力情報抽出手段４０６は、抽出した表示装置１０の位置情報と区域情報記憶手段４０７の情報とに基づき、配電盤５０の場所を示す区域を特定する。図２０は、本発明の実施の形態における表示装置２０の位置に対応する区域の特定方法の一例を示す概要図である。図２０の例では、具体的に、図１３の区域情報記憶手段４０７に記憶される「Ｙ４−Ｓエリア」及び「Ｙ４−Ｎエリア」の位置情報（緯度、経度、フロア（階数））に基づき、座標（経度，緯度）をプロットしている。ステップＳ２０３において、表示装置１０の座標は（139.76540，35.66650）であって、フロアが「４」階であることが特定されているので、表示装置１０の座標を図２０にプロットすると、「Ｙ４−Ｓエリア」の区域に位置する。このようにして、表示装置１０の位置情報を含む区域を特定することができる。
【０１１５】
Ｓ２０５：電力情報抽出手段４０６は、特定された表示装置１０の位置に対応する区域と電力情報記憶手段４０９との情報に基づき、電力消費量を抽出する。ステップＳ２０４において特定された区域が「Ｙ４−Ｓエリア」であるので、例えば図１４に示される電力情報記憶手段４０９に記憶される区域の中から「Ｙ４−Ｓエリア」に対応する電力消費量を抽出する。ここで、例えば現在の日付が２０１２年８月２２日（８月第４週水曜）とすると、ステップＳ２０２において対比対象の時期が「１年前」と指定されているため、２０１１年の８月第４週水曜（２０１１年８月２４日）に対応する電力消費量が抽出される。このようにして、表示装置１０の位置に対応する区域の電力消費量を抽出することができる。
【０１１６】
Ｓ２０６：電力情報抽出手段４０６は、閾値情報記憶手段４１０に記憶されている閾値に基づき、抽出した現在の電力消費量と過去の電力消費量との差が所定の閾値以上であるか否かが判定される。
【０１１７】
Ｓ２０７：現在の電力消費量と過去の電力消費量との差が所定の閾値未満である場合（ステップＳ２０６において「ＮＯ」の場合）、電力情報対比画面生成手段４１１は、抽出された電力消費量と区域名と区域名に対応する事業所及びフロアの情報とに基づき、電力情報対比画面（図２参照）を生成する。次いで、ステップＳ２０９の処理が実行される。
【０１１８】
Ｓ２０８：現在の電力消費量と過去の電力消費量との差が所定の閾値以上である場合（ステップＳ２０６において「ＹＥＳ」の場合）、電力情報対比画面生成手段４１１は、電力情報対比画面の一部（例えば図２の一部分７０３）の色を変更したり、点滅させたりすることにより、アラームを表示した画面を生成する。次いで、ステップＳ２０９の処理が実行される。
【０１１９】
Ｓ２０９：電力情報対比画面送信手段４１２は、通信Ｉ／Ｆ手段４０４を介して、例えばＩＥＥＥ８０２．１１規格に準拠する無線ＬＡＮにより、電力情報対比画面を表示装置１０に送信する。
【０１２０】
Ｓ２１０：電力情報対比画面の送信後、表示装置１０のユーザや電力情報表示システム１の管理者等による電力情報対比画面の生成処理の停止命令があったか、又は例えば電力情報対比画面の送信に対する表示装置１０からの確認応答信号（ＡＣＫパケット）がなく、タイムアウト等による送信不可が発生したか否かが判定される。ここで、停止命令があった場合、又は送信不可であった場合（「ＹＥＳ」の場合）は、電力情報対比画面の生成処理は終了する。一方、停止命令がなく、かつ表示装置１０に送信ができた場合（「ＮＯ」の場合）、電力情報対比画面の生成処理は継続し、次のステップＳ２０９の処理が実行される。
【０１２１】
Ｓ２１１：電力情報対比画面の送信後、所定の時間が経過しているか否かが判定される。所定の時間とは、例えば、電力情報対比画面において表示される電力消費量の時間の単位であり、１時間単位の表示が指定されている場合は１時間となる。但し、所定の時間は、これに限らず、任意に設定可能であって、例えば１分間と設定してもよい。ここで、所定の時間が経過していない場合（「ＮＯ」の場合）、所定の時間が経過するまで待機し、ステップＳ２１０の処理に戻る。一方、所定の時間が経過した場合（「ＹＥＳ」の場合）、ステップＳ２０５の処理が実行され、所定の時間経過後の電力消費量が抽出される。
【０１２２】
以上の処理により、表示装置１０の位置における現在及び過去の電力消費量を対比した電力情報対比画面が生成される。
【０１２３】
以上、本発明の実施の形態によれば、表示装置１０の位置する区域に対応する電力消費量の状況を簡易に表示装置１０に通知することができる。また、現在の電力消費量と過去の電力消費量とが対比された画面によって、現在の電力消費量の程度を容易に把握できる。
〔変形例〕
本発明の実施形態の変形例では、ある区域における現在の電力消費量と過去の電力消費量との差が所定の閾値以上であること（超過状況）を検出すると、その区域に位置する表示装置１０にアラームを報知する。また、本発明の実施の形態の場合と異なり、表示装置１０からの電力情報対比画面取得要求を受け付けることなく、情報管理サーバ４０からネットワーク９９を介して表示装置１０に通信するため、情報管理サーバ４０は表示装置１０のＩＰアドレスを取得しなければならない。本発明の実施形態の変形例では、情報管理サーバ４０が表示装置１０のＩＰアドレスを取得する動作及び超過状況を表示装置１０に報知する動作が追加される。
【０１２４】
本発明の実施形態の変形例における電力情報システム１のシステム構成及び各装置のハードウェア構成は、本発明の実施の形態の場合と同様である（図１及び図３〜６参照）。
[機能構成（変形例）]
本発明の実施形態の変形例における情報管理サーバ４０の機能構成の一例を図２１に示す。図７に示される情報管理サーバ４０の機能との相違点は、起動要求手段４１３と超過状況検出手段４１４とが追加された点である。
【０１２５】
起動要求手段４１３は、位置情報通信Ｉ／Ｆ手段４０１を介して、表示装置１０にネットワーク９９を介して情報管理サーバ４０への接続を促す起動要求信号を送信する。起動要求信号には、情報管理サーバ４０のアドレス情報（ＩＰアドレス）が含まれている。そのため、表示装置１０は、ネットワーク９９を介して、情報管理サーバ４０に通信をすることが可能となる。また、情報管理サーバ４０において、表示装置１０からネットワーク９９を介しての接続を受け付けることにより、表示装置１０のアドレス情報（ＩＰアドレス）を取得できるため、情報管理サーバ４０からネットワーク９９を介しての表示装置１０への通信が可能となる。
【０１２６】
超過状況検出手段４１４は、電力情報記憶手段４０９及び閾値情報記憶手段４１０の情報に基づき、ある区域における現在の電力消費量と過去の電力消費量との差が所定の閾値以上であること（超過状況）を検出する。そして、超過状況が検出されると、その区域に位置する表示装置１０にアラームを報知するよう電力情報抽出手段４０６に通知する。
【０１２７】
なお、上記を除く電力情報表示システム１の機能構成は図７と同様である。
[動作概要（変形例）]
本発明の実施形態の変形例における電力情報表示システム１の動作の一例を図２２のシーケンス図を用いて説明する。なお、本発明の実施の形態の動作を示す図１８と同様の処理については、図１８と同一のステップ番号を付与しており、これらの説明は省略する。
【０１２８】
図２２の初期状態として、情報管理サーバ４０は、表示装置２０の位置情報は記憶、管理しているが、ネットワーク９９を介して通信するために用いる表示装置１０のアドレス情報（ＩＰアドレス）は不明である。
【０１２９】
Ｓ３０１：情報管理サーバ４０の起動要求手段４１３は、表示装置１０のＩＰアドレスを取得するため、位置情報通信Ｉ／Ｆ手段４０１を介して、情報管理サーバ４０のＩＰアドレスを含む起動要求を送信する。
【０１３０】
Ｓ３０２：ゲートウェイ装置３０の通信変換手段３０２は、位置情報通信Ｉ／Ｆ手段３０１が情報管理サーバ４０からデータを受信すると、ネットワーク９８の通信方式（プロトコル）のデータを、無線ネットワーク９７に適合する方式に変換する。
【０１３１】
Ｓ３０３：位置情報通信Ｉ／Ｆ手段３０１は、データの宛先アドレスと自機が保有するルーティングテーブルとに基づき、通信装置２０に転送する。
【０１３２】
Ｓ３０４：通信装置２０の位置情報通信Ｉ／Ｆ手段２０３は、データの宛先アドレスと自機が保有するルーティングテーブルとに基づき、表示装置１０に転送する。
【０１３３】
Ｓ３０５：表示装置１０が起動要求を受信すると、起動要求に含まれていた情報管理サーバ４０のＩＰアドレスに対してネットワーク９９を介して、表示装置１０のＩＰアドレスと識別情報（例えば、ＭＡＣアドレス）を含むアドレス情報を送信する。
【０１３４】
Ｓ３０６：情報管理サーバ４０は、表示装置１０のＩＰアドレスと識別情報とを受信すると、情報管理サーバ４０の記憶装置であるＲＡＭ４２２やＨＤＤ４２４等にＩＰアドレスと識別情報とを対応付けて記憶する。
【０１３５】
Ｓ３０７：情報管理サーバ４０の超過状況検出手段４１４が、電力情報記憶手段４０９と閾値情報記憶手段４１０とに記憶される情報に基づき、ある区域における現在の電力消費量と過去の電力消費量との差が所定の閾値以上であることを検出する。超過状況検出手段４１４による検出動作は、例えば１分周期で行われる。なお、検出動作の周期は任意に設定可能である。超過状況検出手段４１４は、超過状況を検出すると、電力情報抽出手段４０６に超過状況である区域名を通知する。
【０１３６】
Ｓ３０８：電力情報抽出手段４０６は超過状況である区域の電力情報を電力情報記憶手段４０９から抽出し、電力情報対比画面生成手段４１１に電力情報対比画面の生成を要求する。また、このとき電力情報抽出手段４０６は位置情報記憶手段４０３に記憶される情報と、区域情報記憶手段４０７に記憶される情報と、ステップＳ３０５において取得した表示装置１０のＩＰアドレスとに基づき、超過状況である区域に位置する表示装置１０のＩＰアドレスを抽出する。
【０１３７】
次のステップＳ１１４以降の処理は、図１８の例と同様であり、ステップＳ３０８において抽出された表示装置１０のＩＰアドレスを宛先として、ネットワーク９９により表示装置１０に送信する。
【０１３８】
以上、本発明の実施形態の変形例では、電力情報表示システム１は、表示装置１０のユーザからの電力消費量（電力情報対比画面）を表示させたいという要求を受け付けることなく、情報管理サーバ４０側で現在の電力消費量が過去の電力消費量に比べて一定以上使用している区域を検出し、その区域に位置する表示装置１０のユーザに電力消費量の状況を通知することができる。これにより、現在の電力消費量が多い区域に位置するユーザに対して、効率的に電力消費量の抑制を促すことができる。
【０１３９】
なお、ステップＳ３０１〜Ｓ３０６における表示装置１０のＩＰアドレスの取得の方法は、例えば、位置情報更新要求の信号フォーマットに表示装置１０のＩＰアドレスを追加させる等の方法により実現してもよい。
[その他の変形例]
なお、本発明の実施の形態において、電力情報対比画面を、ネットワーク９９を介して、情報管理サーバ４０から表示装置１０に送信したが、電力情報対比画面の画像の容量見合いで、位置情報通信Ｉ／Ｆ４０１（ネットワーク９８、無線ネットワーク９７）を介して送信してもよい。
【０１４０】
なお、本発明の実施の形態において、配電盤５０の位置（区域）を特定するために、電力測定機器５１の識別情報と区域情報記憶手段４０７に記憶される情報とを利用したが、例えば、配電盤５０に無線ネットワーク９７を用いて位置情報を通信可能な無線通信機１１を取り付けることにより、配電盤５０の位置（区域）を特定してもよい。
【０１４１】
以上、本発明の実施例について詳述したが、本発明はかかる特定の実施形態に限定されるものではなく、特許請求の範囲に記載された本発明の要旨の範囲内において、種々の変形、変更が可能である。
【符号の説明】
【０１４２】
１        電力情報表示システム
１０      表示装置
２０      通信装置
３０      ゲートウェイ装置
４０      情報管理サーバ
１０２    位置情報受付・更新要求手段
１０５    電力情報対比画面取得要求手段
１０８    表示手段
１０９    画面レイアウト変更手段
４０２    位置情報受付・管理手段
４０３    位置情報記憶手段
４０６    電力情報抽出手段
４０７    区域情報記憶手段
４０９    電力情報記憶手段
４１０    閾値情報記憶手段
４１１    電力情報対比画面生成手段
４１２    電力情報対比画面送信手段
４１４    超過状況検出手段
【先行技術文献】
【特許文献】
【０１４３】
【特許文献１】特開２０１１−１６０６０８
【図１】
2014042411.tif 000003
【図２】
2014042411.tif 000004
【図３】
2014042411.tif 000005
【図４】
2014042411.tif 000006
【図５】
2014042411.tif 000007
【図６】
2014042411.tif 000008
【図７】
2014042411.tif 000009
【図８】
2014042411.tif 000010
【図９】
2014042411.tif 000011
【図１０】
2014042411.tif 000012
【図１１】
2014042411.tif 000013
【図１２】
2014042411.tif 000014
【図１３】
2014042411.tif 000015
【図１４】
2014042411.tif 000016
【図１５】
2014042411.tif 000017
【図１６】
2014042411.tif 000018
【図１７】
2014042411.tif 000019
【図１８】
2014042411.tif 000020
【図１９】
2014042411.tif 000021
【図２０】
2014042411.tif 000022
【図２１】
2014042411.tif 000023
【図２２】
2014042411.tif 000024